(57)【要約】【課題】プラテン上に複数の小サイズ原稿を配列してセットする操作が容易であり、その保管が容易で、保管中に棄損することのない原稿ホルダを提供する。【解決手段】複数の原稿シートを保持するポケットなどの原稿装着部（５７）を備えたホルダ本体（５６）を、その表面側（５５Ａ）はプラテン（３）上に載置セットされた原稿シートを上方から覆う均一な光学特性の平坦面に形成し、その裏面側（５５Ｂ）には複数の原稿シートを保持するポケットなどの原稿装着部（５７）を形成する。そしてこのホルダ本体（５６）を画像読取装置のプラテンカバー（５）の表面又は裏面がプラテン面に当接するように表裏選択して係止するように構成する。そしてこの表裏面の少なくとも一方に表裏面識別マークＳＭを形成する。【選択図】図４
2009206742.tif 000002
【特許請求の範囲】
【請求項１】
プラテンカバーを開閉自在に備えたプラテンに複数の原稿シートを所定姿勢で位置決めセットする原稿ホルダであって、
上記プラテンを覆う形状に形成されたシート状のホルダ本体と、
上記ホルダ本体に設けられ上記プラテンカバーに着脱自在に係止される止着部と、
とから構成され、
上記ホルダ本体の表面側は、上記プラテンにセットされた原稿シートを上方から覆う均一な光学特性の平坦面に形成され、
上記ホルダ本体の裏面側には、複数の原稿シートを保持するポケットなどの原稿装着部が形成され、
上記止着部は、上記プラテンカバーに表面又は裏面が上記プラテン面に当接するように表裏反転して係止可能に構成され、
このホルダ本体の表裏面の少なくとも一方には表裏面識別手段が形成されていることを特徴とする画像読取装置における原稿ホルダ。
【請求項２】
前記ホルダ本体の表面側は白色素材で形成されていることを特徴とする請求項１に記載の画像読取装置における原稿ホルダ。
【請求項３】
前記表裏面識別手段は、光学的に検出可能な表裏面識別マークであることを特徴とする請求項１に記載の原稿ホルダ。
【請求項４】
前記ホルダ本体の裏面側に形成される原稿装着部には、原稿シートが装着されているか否かを識別する原稿エリアマークが形成されていることを特徴とする請求項１に記載の画像読取装置における原稿ホルダ。
【請求項５】
前記原稿装着部は、複数の原稿収納ポケットで構成され、
前記ホルダ本体に白色のバックシートと
このバックシートに透明シートで袋状に添着された透明シートで構成され、
上記原稿収納ポケットは上下複数段及び／又は左右複数列状に形成されていることを特徴とする請求項１に記載の画像読取装置における原稿ホルダ。
【請求項６】
原稿シートを載置セットするプラテンと、
上記プラテン上の原稿画像を読み取る光学読取手段と、
上記プラテン上に載置された原稿シートを覆うプラテンカバーと、
上記プラテン上に複数の原稿シートを位置決めセットする原稿ホルダと、
を備え、
上記原稿ホルダは、
上記プラテンを覆う形状に形成されたシート状のホルダ本体と、
上記ホルダ本体に設けられ上記プラテンカバーのプラテン当接面に着脱自在に係止される止着部と、
から構成され、
上記ホルダ本体の表面側は、上記プラテンにセットされた原稿シートを上方から覆う均一な光学特性の平坦面に形成され、
上記ホルダ本体の裏面側には、複数の原稿シートを保持するポケットなどの原稿装着部が形成され、
上記止着部は、上記プラテンカバーに上記ホルダ本体の表面又は裏面が上記プラテン面に当接するように表裏反転してそれぞれ係止可能に構成され、
このホルダ本体の表裏面の少なくとも一方には表裏面識別マークが形成され、
上記表裏面識別マークの読取りセンサからの検出信号に基づいて原稿シートのセット情報を識別することを特徴とする画像読取装置。
【請求項７】
前記原稿シートのセット情報は、
（１）プラテン上にセットされた原稿が複数シートであるか単一シートであるか判別するための情報、及び／又は（２）原稿の有効読取りエリアを判別するための情報であることを特徴とする請求項６に記載の画像読取装置。
【請求項８】
前記原稿ホルダは、原稿シートのサイズ、配列順序などが異なる複数のホルダ本体で構成され、
この複数のホルダ本体にはホルダ識別マークが形成され、
上記ホルダ識別マークの読取りセンサからの検出信号に基づいてプラテン上にセットされた原稿の有効読取りエリアを判別することを特徴とする請求項６に記載の画像読取装置。
【発明の詳細な説明】
【技術分野】
【０００１】
本発明は、複写機、ファクシミリ、スキャナなどの原稿シート上の画像を光学的に読み取る画像読取装置における原稿ホルダに係わり、複数の原稿シートをプラテン上に載置セットするホルダ機構の改良に関する。
【背景技術】
【０００２】
一般にこの種の画像読取装置は、プラテン上に原稿を載置セットし、この原稿画像を光電変換素子で光学的に読み取る装置として各種光学器機に広く使用されている。そしてプラテンは、原稿シートを静止セットする透明ガラス板などで構成されている。
【０００３】
従来、この種のプラテンに原稿をセットする際に、その位置を正確に位置決めするためプラテンの周縁には段差を形成する基準板が設けられている。通常はこの基準板に倣って原稿シートを載置セットし、その後このシートをプラテンカバー（原稿押さえ板）で覆っている。このためプラテンカバーはプラテンガラスに対してヒンジなどで開閉自在に取付けられ、プラテンガラスと接する原稿押さえ面は白色板などで形成されている。
【０００４】
このようなプラテンに例えば名刺、写真、カードなどの比較的小サイズの原稿シートをセットする場合に原稿ホルダを用いることが例えば特許文献１に提案されている。従来の原稿ホルダは、同文献に開示されているように複数のポケットを上下複数段或いは左右複数列に配置し、このポケット内に所定サイズの原稿シートを収納している。このため原稿を収納するポケットを透明シートで構成している。また特許文献２にも同様の原稿ホルダが開示されている。
【０００５】
このような原稿ホルダに原稿シートを配列して画像読取りすることによってプラテン上に複数のシートを同時に配列セットでき、小片サイズの原稿或いはカールした原稿のセットが容易となることが知られている。
【０００６】
従来この種の原稿ホルダは、特許文献１に開示されているようにプラテンガラスのフランジ部に着脱自在に添着するか、若しくは特許文献２に開示されているようにプラテン或いはプラテンカバーとは分離したシートとして使用するかいずれかの方法が採られている。
【特許文献１】特開２００３−７８７１４号公報（図１）
【特許文献２】特開平１０−１３６０７号公報（図２）
【発明の開示】
【発明が解決しようとする課題】
【０００７】
上述のように、原稿をプラテン上にセットする際に、複数の原稿シートを原稿ホルダに配列してセットすることが知られている。従来この原稿ホルダをプラテン或いはプラテンカバーとは分離したシートとして保管して使用する場合（前掲特許文献２の方法）と、この原稿ホルダをプラテンのフランジ部に着脱自在に取り付けて使用する場合（前掲特許文献１の方法）が知られている。
【０００８】
前者のプラテンと分離して構成する場合には、この原稿ホルダを紛失或いは保管中に歪曲など棄損する問題がある。つまり通常は定型サイズの原稿シートをプラテンにセットして画像読取りを実行し、カードなど不定型の小片サイズ原稿の画像読取りの際に原稿ホルダを使用する。このような場合には原稿ホルダの保管に問題が生ずる。
【０００９】
後者の原稿ホルダをプラテンのフランジ部に着脱自在に取付ける構成の場合にも、原稿ホルダの紛失の問題と原稿セット操作が面倒となる問題が生ずる。つまり前掲特許文献１の方法はプラテンガラスのフランジ部にプラテンカバーをヒンジ部材で開閉自在に取付け、このカバー取付部とは異なるフランジ部に原稿ホルダを着脱自在に取付けている。そしてこれを使用する場合には、プラテンのフランジ取付部から分離して原稿シートを装着し、その後このホルダをフランジ部に取付けてプラテン上にセットし、その上からプラテンカバーで覆う操作を余儀なくされる。従って原稿ホルダを使用するときの原稿セット操作が面倒となる。一方原稿ホルダを使用しない画像読取りの際にはこの原稿ホルダをフランジ取付部に据え付けた状態ではセット操作が面倒となるため原稿ホルダをプラテンから分離して保管することとなり、その紛失或いは棄損の問題が生ずる。
【００１０】
このように従来の原稿ホルダの構成は、プラテン或いはプラテンカバーと分離した状態で保管されるため、保管中の紛失、棄損の問題があり、これを使用するときにも原稿ホルダをプラテン上にセットした後、プラテンカバーで覆うためセット操作が面倒となる問題を抱えている。
【００１１】
そこで本発明者は、原稿ホルダをプラテンカバーに一体に取り付けることによってホルダを使用しないときの保管と棄損の問題を解決し、このとき原稿ホルダをプラテンカバーに表裏反転して装着することにより非使用時に原稿にポケットなどの影が反映されることを防止するとの着想に至った。
【００１２】
このように、原稿ホルダをプラテンカバーに一体構成すると、プラテン上にセットされた原稿の読取りエリアの検出に問題が生ずる。つまりプラテンカバーでプラテンを覆う動作のときセットされている原稿のサイズ（エリア）を検出する構成の場合、ホルダにセットされた原稿はそのサイズを検出することが出来ない。そこで本発明者は原稿がプラテン上にセットされているかカバーと一体のホルダにセットされているかを簡単な構造で判別することを案出するに至った。
【００１３】
本発明は、プラテン上に原稿シートをセットする際に複数の小サイズ原稿を配列してセットすることが容易であり、その保管が容易で、保管中に棄損することのない画像読取装置における原稿ホルダの提供をその主な課題としている。
更に本発明は、ホルダポケットを使用しない定型サイズの原稿をセットして読取る場合にポケットなどの影が反映されることのない画像読取装置における原稿ホルダの提供を課題としている。
【課題を解決するための手段】
【００１４】
上記課題を達成するため本発明は、複数の原稿シートを保持するポケットなどの原稿装着部（５７）を備えたホルダ本体（５６）を、その表面側（５５Ａ）はプラテン（３）上に載置セットされた原稿シートを上方から覆う均一な光学特性の平坦面に形成し、その裏面側（５５Ｂ）には複数の原稿シートを保持するポケットなどの原稿装着部（５７）を形成する。そしてこのホルダ本体（５６）を画像読取装置のプラテンカバー（５）の表面又は裏面がプラテン面に当接するように表裏選択して係止するように構成し、この表裏面の少なくとも一方には表裏面識別マーク（ＳＭ）を形成することを特徴とする。以下その構成を詳述する。
【００１５】
プラテンカバー（５）を開閉自在に備えたプラテン（３）に複数の原稿シートを所定姿勢で位置決めセットする原稿ホルダ（５５）であって、上記プラテン（３）を覆う形状に形成されたシート状のホルダ本体（５６）と、上記ホルダ本体（５６）に設けられ上記プラテンカバー（５）に着脱自在に係止される止着部（５８）と、とから構成する。そしてこのホルダ本体（５６）の表面側は、上記プラテン（３）にセットされた原稿シートを上方から覆う均一な光学特性の平坦面で形成し、その裏面側には、複数の原稿シートを保持するポケットなどの原稿装着部（５７）を形成する。また上記止着部（５８）は、上記プラテンカバー（５）に表面又は裏面が上記プラテン面に当接するように表裏反転して係止可能に構成する。このホルダ本体（５６）の表裏面の少なくとも一方には表裏面識別手段を形成する。
【００１６】
上記ホルダ本体（５６）の表面側は白色素材で形成する。また、上記表裏面識別手段は、光学的に検出可能な表裏識別マーク（ＳＭ）で構成する。更に上記ホルダ本体（５６）の裏面側に形成される原稿装着部（５７）には、原稿シートが装着されているか否かを識別する原稿エリアマークを形成する。
【００１７】
上記原稿装着部（５７）は、ホルダ本体（５６）に白色のバックシートとこのバックシートに透明シートで袋状に添着された透明シートで複数の原稿収納ポケットを形成する。この原稿収納ポケットは上下複数段及び／又は左右複数列状に形成する。
【００１８】
本発明に係わる画像読取装置は、原稿シートを載置セットするプラテン（３）と、このプラテン上の原稿画像を読み取る光学読取手段（８）と、プラテン上に載置された原稿シートを覆うプラテンカバー（５）と、上記プラテン（３）上に複数の原稿シートを位置決めセットする原稿ホルダ（５５）とを備える。そして上記原稿ホルダ（５５）は、上記プラテン（３）を覆う形状に形成されたシート状のホルダ本体（５６）と、上記ホルダ本体（５６）に設けられ上記プラテンカバー（５）のプラテン（３）当接面に着脱自在に係止される止着部（５８）とから構成する。このとき上記ホルダ本体（５６）の表面側は、上記プラテン（３）にセットされた原稿シートを上方から覆う均一な光学特性の平坦面に形成し、上記ホルダ本体（５６）の裏面側には、複数の原稿シートを保持するポケットなどの原稿装着部（５７）を形成する。そして上記止着部（５８）は、上記プラテンカバー（５）に上記ホルダ本体（５６）の表面又は裏面が上記プラテン面に当接するように表裏反転してそれぞれ係止可能に構成し、このホルダ本体（５６）の表裏面の少なくとも一方には表裏面識別マーク（ＳＭ）を形成する。そこで上記表裏面識別マーク（ＳＭ）の読取りセンサ（ＳＳ）からの検出信号に基づいて原稿シートのセット情報を識別する。
【００１９】
上記原稿シートのセット情報は、（１）プラテン（３）上にセットされた原稿が複数シートであるか単一シートであるか判別するための情報、及び／又は（２）原稿の有効読取りエリアを判別するための情報である。
【００２０】
尚、上記原稿ホルダ（５５）を原稿シートのサイズ、配列順序などが異なる複数のホルダ本体（５６）で構成し、この複数のホルダ本体（５６）にはホルダ識別マーク（ＨＭ）を形成する。そこで上記ホルダ識別マーク（ＨＭ）の読取りセンサからの検出信号に基づいてプラテン（３）上にセットされた原稿の有効読取りエリアを判別する。
【発明の効果】
【００２１】
本発明は、ホルダ本体を画像読取装置のプラテンカバーに表裏反転して着脱可能に係止し、このホルダ本体の表面側はプラテン上に載置された原稿シートを上方から覆う均一な光学特性の平坦面に形成し、その裏面側には複数の原稿シートを保持するポケットなどの原稿装着部を形成し、この表裏面の少なくとも一方に表裏面識別マークを形成したものであるから次の効果を奏する。
【００２２】
ホルダ本体は、その不使用時にはプラテンカバーと一体に止着され、その面（表面）はプラテン上の載置原稿を覆う均一な光学特性（例えば白色）の平坦面に形成されているから読取り画像に影などが反映されることがない。特に原稿シートが半透明のフィルムシート（ＯＨＰシートなど）の場合にも影などの背景の影響を受けることがない。
【００２３】
また、ホルダ本体はその不使用時にはプラテンカバーと一体に保持されるから従来のように分離して保管する場合に比べて紛失の恐れも、また保管中に歪曲変形するなど棄損の問題もない。これと共にホルダ本体のポケット部（止着部）を使用しないときには通常のセット動作と同様に原稿シートをプラテンガラス上に載置し、その上をプラテンカバーで覆う開閉動作で良く、またポケット部を使用する場合にもホルダ本体をプラテンカバーから分離してこれに原稿シートを装着した後プラテンカバーに止着することによって所定の位置に所定の姿勢でセットすることが出来る。
【００２４】
更に本発明はプラテンカバーに装着されたホルダ本体の表裏面にはその一方に表裏面識別マークが施されているから、画像読取装置でこのマークを読み取ることによって有効画像エリアを判別することも或いは使用者に表裏面の装着ミスを警告することも可能となる。
【００２５】
この場合、プラテン上にセットされた原稿シートの有効読取エリアを判別するときには、上記識別マークの検出結果でプラテンに載置されている原稿シートを直接検知（上記表面のとき）するか、或いは予め設定されたエリアを有効読取エリアとする（上記裏面のとき）など画像読み取りエリアの設定が容易となる。同様に、画像読取装置でプリスキャンする際にホルダ本体の表裏面が適正でないことを判別して警告するように構成することも容易となる。
【発明を実施するための最良の形態】
【００２６】
以下図示の好適な実施の態様に基づいて本発明を詳述する。図１は本発明に係わる画像読取装置の全体構成を示す斜視説明図であり、図２はその縦断説明図である。図３は原稿シートをプラテンに給送する要部断面の説明図である。
【００２７】
図１に示す画像読取装置はスキャナユニットＡと、原稿搬送ユニットＢとから構成され、この原稿搬送ユニットＢはスキャナユニットＡの上部に設置されている。このスキャナユニットＡは図示のように外装ケーシング（筐体）１の上面に原稿走行プラテン（以下「第１プラテン」という）２と原稿固定プラテン（以下「第２プラテン」という）３とが並列に配置されている。上記原稿搬送ユニットＢは第１プラテン２に原稿シートを給送するフィーダ機構４と、上記第２プラテン上の原稿を覆うプラテンカバー５とから構成され、図１に示すように開閉自在にヒンジ部材１ｈで開閉自在に連結されている。以下各構成を詳述する。
【００２８】
［スキャナユニットの構成］
スキャナユニットＡは、外装ケーシング１に上述の第１プラテン２と第２プラテン３を備え、このケーシング内部には画像読取機構が内蔵されている。図２に示す画像読取機構について説明すると、外装ケーシング１内には、第１、第２プラテン２，３に沿って往復動するキャリッジ６と、集光レンズ７と光電変換素子（画像読取手段；以下同様）８が配置されている。図示の装置はキャリッジ６に搭載した光源ランプ９からプラテン上の原稿に光を照射し、その反射光を複数のミラー１０で集光レンズ７に案内して光電変換素子８で電気的に読み取る光学系を示している。この為、キャリジ６はガイドレール１２に支持され第２プラテン３に沿って往復動するように構成されている。従ってキャリッジ６は第２プラテン３に沿って移動する過程でこの第２プラテン３にセットされた原稿を走査し光電変換素子（ラインセンサ）８で画像を読み取ることとなる。これと同時にこのキャリッジ６は第２プラテン３から第１プラテン２の直下に移動し、この位置に静止した状態で第１プラテン２上を所定速度で移動する原稿の画像を読み取るように構成されている。
【００２９】
尚、図示の読取光学系は光源を搭載したキャリッジ６を移動し、集光レンズ７と光電変換素子８を装置フレームに固定する縮小光学系を示したが、この他、光源と共に光電変換素子をキャリッジに搭載して移動する等倍光学系で構成しても良いことは勿論である。この場合には光源とレンズと光電変換素子を一体化した密着センサを用いれば良い。
【００３０】
［原稿搬送ユニットの構成］
原稿搬送ユニットＢは図２に示すように上述の第１、第２プラテン２、３を覆うようにその上方に配置され、上記第１プラテン２に原稿シートを給送するリードローラ２０と、第１プラテン２から原稿シートを上方に掬い上げるガイド部材２１と搬出ローラ２２とを備えている。更に上記リードローラ２０の上流側には原稿シートを積載収納する給紙スタッカ２３と、この給紙スタッカ２３に積載されてシートを１枚ずつ分離給送する給紙ローラ２４と、分離給送されたシートの先端をスキュ修正するレジストローラ対２５が配置されている。図示２６は給紙スタッカ２３から第１プラテン２に原稿シートを案内する給紙経路であり、図示Ｓ１はプラテンに至る原稿の先端を検知するリードセンサである。
【００３１】
図示の装置は第１プラテン２の上方に原稿シートを案内するバックアップローラ２７が配置されている。このバックアップローラ２７はリードローラ２０と同一周速度で回転し第１プラテン２上に原稿シートをフィットさせる為であり、このバックアップローラ２７を設けることなくプラテン上方にバックアップカイドを配置しても良い。
【００３２】
上記搬出ローラ２２の下流側には排紙ローラ２８と排紙スタッカ２９が配置されている。この排紙スタッカ２９は図２に示すように給紙スタッカ２３の下方に上下並列に配置され、その底部には前述の第２プラテン３上の原稿シートを押圧支持するプラテンカバー５が設けられている。
【００３３】
このように構成された原稿搬送ユニットＢはスキャナユニットＡの上部筐体（外装ケーシング）１にヒンジ部材１ｈで開閉自在に据え付けられている（図１参照）。そして第２プラテン３を開放した状態で原稿シートを載置セットし、この原稿搬送ユニットＢのプラテンカバー５でこの原稿を覆うように構成されている。一方この原稿搬送ユニットＢを開閉する際に第１プラテン２とバックアップローラ（又はバックアップガイド）２７との間隔（原稿搬送ギャップ）が変化しないように原稿搬送ユニットＢのフレームには第１プラテン２に当接する位置決め突起（ストッパ部材；不図示）が設けられている。
【００３４】
［第２プラテンの構成］
そこで上述の第２プラテン３について説明する。この第２プラテン３（以下単に「プラテン３」という）は外装ケーシング１の上平面にガラスなどの透明板を取付けて構成されている。このプラテン３は通常平坦面に形成され、その上面（プラテン面）３ａにシート原稿又はブック原稿を載置するように構成されている。そしてこのプラテン３は最大原稿シートを載置し得る形状（面積）に形成され、その端縁には位置決め部材（以下「原稿スケール」という）３Ｓが設けられている。この原稿スケール３Ｓはプラテン３の少なくとも１辺に配置され、原稿の端縁を突き当て規制する段差面で形成されている。図示の装置は図１に示すようにプラテン３の２辺に図示のＸ辺とＹ辺にそれぞれ原稿スケール３Ｓが設けられている。
【００３５】
「プラテンカバーの構成」
上述のプラテン３には載置セットした原稿を光学的に覆うように保持するプラテンカバー５が設けられる。このプラテンカバー５はプラテン３のフランジ部に開閉自在に据え付けられ、これを開放した状態でプラテン上に原稿シートを載置セットし、その後この原稿シートを上方から覆うように押圧保持する。このためプラテンカバー５はプラテン３の略々全体を覆う押圧板５１と、この押圧板５１をバックアップする弾性パッド５２と、ベースフレーム５３とから構成される。図示のベースフレーム５３は図２に示すように前述の排紙スタッカ２９を形成する底板で形成されている。このベースフレーム５３は合成樹脂などで適度の機械的強度を有し、前述のヒンジ部材１ｈ（図１参照）でプラテン３に対して開閉自在に取り付けられている。そしてこのベースフレーム５３にはスポンジ、軟質ゴムなどの弾性パッド５２を介して押圧板５１が添着されている。図示の押圧板５１はフィルム状の樹脂プレートで形成され、白色に着色されている。
【００３６】
［原稿ホルダの構成］
本発明は上述のプラテンカバー５に以下の原稿ホルダ５５を着脱自在に取り付けたことを特徴としている。原稿ホルダ５５は、上述のプラテン３上にカードなどの小サイズ原稿を載置セットする為に次の構成を備えている。この原稿ホルダ５５は例えばＪＩＳ規格Ａ４サイズ或いはＡ３サイズのシート形状に構成され、プラテン３を覆うシート状のホルダ本体５６と、このホルダ本体５６に設けられ複数の原稿シートを保持するポケットなどの原稿装着部５７と、上記プラテンカバー５のプラテン当接面に着脱自在に係止される止着部５８とから構成されている。
【００３７】
上記ホルダ本体５６には原稿装着部５７が設けられている。図４（ｂ）に示すようにホルダ本体５６はバックプレート５６ａとこのプレートに重ね合わされた透明のフロントプレート５６ｂとから構成され、この重ね合わされた２つのプレートは縫合（例えば熱溶着シーム）され、図４（ａ）に示すように複数のポケットＰ１、Ｐ２・・・Ｐｎから成る原稿装着部５７が形成されている。この各ポケットには原稿シートを挿入する開口５６ｃが設けられている。従って複数形成された原稿装着部５７にはカードなどの小片原稿が挿入保持されることとなる。
【００３８】
上記バックプレート５６ａは、図５（ａ）に示すその表面側５５Ａは均一な光学特性の平坦面に形成され、原稿色と略々同一の白色に形成されている。従ってこの表面側５５Ａがプラテン面３ａと当接するようにプラテンカバー５に取り付ければプラテン３上に載置した原稿シートを上方から覆い、その読取画像に影などが反映されることがない。また原稿装着部（ポケットＰ）５７が設けられた裏面側５５Ｂがプラテン面３ａと当接するようにプラテンカバー５に取り付ければポケット内に挿入した原稿シートをプラテン３上にセットすることが可能となる。
【００３９】
上述のホルダ本体５６には、これをプラテンカバー５に着脱自在に取り付ける止着部５８が設けられている。この止着部５８は、ホルダ本体５６を表面側５５Ａがプラテン面３ａと当接するか、又は裏面側５５Ｂがプラテン面３ａと当接するように表裏反転して止着可能に構成されている。図示の止着部５８はプラテンカバー５の押圧板５１にはその４辺に係止爪５８ａが設けられている。この係止爪５８ａは図４（ｃ）に示すようにプラテンカバー５の押圧板５１に設けられた爪片で構成され、前述の弾性パッド５２の作用で弾性変形することによってホルダ本体５６のバックプレート５６ａを挟圧支持する。従ってこの係止爪５８ａには、プラテン面３ａに対して原稿ホルダ５５の表面側５５Ａが当接する図５（ａ）の状態と、裏面側５５Ｂが当接する図５（ｂ）の状態に選択的に取り付け可能となる。
【００４０】
上述のように本発明はプラテンカバー５の押圧板５１に原稿ホルダ５５を表裏選択して着脱自在に装着することを特徴としている。これは、原稿ホルダ５５にカードなどの特殊原稿を装着して画像読取りする場合（以下「特殊原稿読取」という）には、原稿ホルダ５５の裏面側５５Ｂがプラテン面３ａと当接するように押圧板５１に止着する。また、規格サイズシートなどの普通原稿をプラテン３上に載置して画像読取りする場合（以下「普通原稿読取」という）には原稿ホルダ５５の表面側５５Ａがプラテン面３ａと当接するように押圧板５１に止着する。
【００４１】
このように原稿ホルダ５５をプラテンカバー５に止着することによって原稿ホルダ５５の保管と、保管中に湾曲など棄損する問題を解決することが可能となる。この場合に普通原稿読取の場合には図５（ａ）の状態に原稿ホルダ５５の表面側５５Ａをプラテン面３ａに臨ませる。また、特殊原稿読取の場合には図５（ｂ）の状態に原稿ホルダ５５の裏面側５５Ｂをプラテン面３ａに臨ませる。従って普通原稿読取のときには原稿ホルダ５５の表面側５５Ａがプラテン３上に載置セットされている原稿シートを押圧することとなり、この表面側５５Ａは光学的に均一な平坦面（例えば白色平坦面）で構成されているから影などが反映されることがない。特殊原稿読取の場合には原稿ホルダ５５の裏面側５５Ｂに形成されているポケットＰなどの原稿装着部５７に原稿シートを装着し、この原稿ホルダ５５をプラテンカバー５に止着した状態でカバーを閉じる（閉蓋）とプラテン面３ａにセットされることとなる。
【００４２】
［原稿サイズ検出］
上述のように構成されたプラテンカバー５の構成において画像読取りする原稿のサイズ検出は次のように構成する。この原稿のサイズ検出は前述の画像読取手段８で画像読取りする際に有効読取りエリアを設定するのに用いる。以下「普通原稿読取りにおける有効読取エリア設定」、「特殊原稿読取りにおける有効読取エリア設定」の順に説明する。
【００４３】
「普通原稿読取における有効読取エリア設定」
第２プラテン３には、載置セットされた原稿サイズを検出するサイズ検出センサＳＳと、このサイズ検出センサＳＳからの信号で原稿サイズを判別するサイズ判別手段（不図示）が設けられている。サイズ検出センサＳＳは図６（ａ）に示すように外装ケーシング１内でプラテン３の下方に配置され、上方のプラテン３に載置セットされている原稿の端縁を検出するセンサで構成されている。図示のサイズ検出センサＳＳは予め定められた規格サイズの原稿を検出するように例えば複数のセンサアレイで構成されている。原稿スケール３Ｓを基点にプラテン３の副走査方向（図６（ａ）左右方向）の原稿端縁を検出するようにサイズ検出センサＳＳが配置されている。
【００４４】
また上述のサイズ判別手段は図示しないが例えば、画像読取装置の制御ＣＰＵで次のように構成する。前述のプラテンカバー５にはその開閉動を検出する開閉センサ５５が図１に示すように設けられている。そしてプラテンカバー５が第２プラテン３を覆った状態をこの開閉センサ５５で検出する。そこで制御ＣＰＵはこの開閉センサ５５のＯＮ信号で、その直前（原稿がプラテンカバーで覆われる前）のサイズ検出センサＳＳの検出信号から原稿サイズ判別を実行する。これはプラテン上に載置された原稿の副走査方向長さ位置をサイズ検出センサＳＳで検知する際に、プラテンカバー５で覆われた後には、原稿は同一色である原稿ホルダ５５の表面側５５Ａで覆われて端縁検出が不能となる。そこでサイズ検出センサＳＳの検出信号を記憶し、プラテンカバー５が閉じられ開閉センサ５５からのＯＮ信号でその直前に記憶されている検出信号に基づいて原稿サイズを判別する。
【００４５】
「特殊原稿読取りにおける有効読取エリア設定」
上述のようなサイズ判別手段の構成では、プラテンカバー５に原稿シートを装着した原稿ホルダ５５を止着した場合には次の問題が生ずる。つまりプラテンカバー５を閉じる際にはプラテン３上に原稿シートが存在しないためサイズ検出センサＳＳで原稿端縁を検出することが不可能となる。そこで原稿ホルダ５５には次の「表裏面識別マークＳＭ」と、「原稿エリアマークＡＭ」が施されている。
【００４６】
上記表裏面識別マークＳＭはプラテンカバー５に原稿ホルダ５５がプラテン面３ａに対してその表面側５５Ａが面するか、裏面側５５Ｂが面しているかを判別する表裏面識別手段として配置されている。この表裏面識別マークＳＭは光学的に検出可能なマークで構成され、プラテン３側には、この識別マークＳＭを判別する表裏検出センサＳｔ（図６（ｂ）参照）が設けられている。従ってプラテンカバー５に原稿ホルダ５５が、その表面側５５Ａがプラテン面３ａに当接するか、裏面側５５Ｂが当接するか判別可能となる。そこでこの表裏検出センサＳｔからの検出信号で前述のサイズ判別手段を作動する。つまり原稿ホルダ５５の表面側５５Ａがプラテンに面しているときには前述の「普通原稿読取りにおける有効読取エリア設定」を実行する。
【００４７】
そこで特殊原稿読取りの際の有効読取りエリアの設定は次のいずれかの方法で行う。第１の方法は原稿ホルダ５５のサイズを予め設定しておき、表裏検出センサＳｔで裏面側５５Ｂがプラテン面３ａに当接するときには、この予め設定されたサイズを有効読取りエリアとして設定する。第２の方法は、原稿ホルダ５５の原稿装着部５７に原稿エリアマークＡＭを施し、このエリアマークを例えば画像読取手段８のプリスキャン時に読み取って有効読取りエリアを設定する。このため原稿ホルダ５５には図４（ａ）に示すように複数のポケットＰにそれぞれ光学的に検出可能な原稿エリアマークＡＭ１・・ＡＭｎが設けてあり、このエリアマークＡＭはポケット内に原稿シートが収納されているときには隠蔽され、原稿シートが存在しないときには露出する位置に施されている。
【００４８】
従ってポケットＰ内に設けられた原稿エリアマークＡＭを光学読取手段８で検出することによってどのポケットＰに原稿シートが内在しているか否かを認識可能となる。つまり図４（ａ）に示す原稿エリアマークＡＭ１〜ＡＭ３に原稿シートが収容されている場合と、原稿エリアマークＡＭ１〜ＡＭ６に原稿シートが収容されている場合と、原稿エリアマークＡＭ１〜ＡＭ９に原稿シートが収容されている場合とで画像読取手段８の走査エリアを異ならせることが可能となる。
【００４９】
［原稿ホルダの異なる実施形態］
上述の原稿ホルダ５５は１枚のシートで構成する場合を示したが図７には原稿ホルダ５５を複数のシートで構成する場合を示す。同図（ａ）には前述と同様のポケットＰを上下４段に形成する場合を例示してあり、同図（ｂ）にはポケットＰを上下５段、左右２５列に形成する場合を例示している。これらの原稿ホルダ５５には前述と同様の止着部５８が形成してあり、プラテンカバー５に形成されている係止爪５８ａに係止支持されるようになっている。
【００５０】
そして各原稿ホルダ５５の縁部にはホルダ識別マークＨＭが設けられている。このマークをホルダ判別センサ（不図示）で検出することによってプラテンカバー５に装着されている原稿ホルダ５５の原稿収納パターンを判別することが可能となる。このように原稿ホルダ５５には、その表裏面を判別する表裏面識別マークＳＭと、原稿装着パターンの異なるホルダシートを判別するホルダ識別マークＨＭが施されている。従ってこのホルダ識別マークＨＭを検出するセンサからの信号に基づいて有効読取りエリアを判別する。
【図面の簡単な説明】
【００５１】
【図１】本発明に係わる原稿ホルダを備えた画像読取装置の全体構成を示す説明図。
【図２】図１の装置の縦断説明図。
【図３】原稿シートをプラテンに給送する要部の断面説明図。
【図４】本発明に係わる原稿ホルダの構成説明図であり、（ａ）はその平面形状、（ｂ）は断面形状、（ｃ）は（ａ）図に示すＺ−Ｚ断面をそれぞれ示す。
【図５】図４の原稿ホルダの断面構成の説明図であり、（ａ）はホルダ表面をプラテンに臨ませた状態を、（ｂ）はホルダ裏面をプラテンに臨ませた状態をそれぞれ示す。
【図６】図１の装置におけるプラテンに原稿をセットした状態の説明図であり、（ａ）はその平面を、（ｂ）はその断面を示す。
【図７】本発明に係わる原稿ホルダのそれぞれ異なる形態を示す説明図。
【符号の説明】
【００５２】
３        第２プラテン
３ａ      プラテン面
３Ｓ      位置決め部材（原稿スケール）
５        プラテンカバー
８        画像読取手段
５１      押圧板
５２      弾性パッド
５３      ベースフレーム
５５      原稿ホルダ
５５Ａ    表面側
５５Ｂ    裏面側
５６      ホルダ本体
５６ａ    バックプレート
５６ｂ    フロントプレート
５６ｃ    開口
５７      原稿装着部
５８      止着部
Ｐ１、Ｐ２・・・Ｐｎ    ポケット
ＡＭ      原稿エリアマーク
ＳＭ      表裏面識別マーク
ＨＭ      ホルダ識別マーク
ＳＳ      サイズ検出センサ
Ｓｔ      表裏検出センサ
Ａ        スキャナユニット
【図１】
2009206742.tif 000003
【図２】
2009206742.tif 000004
【図３】
2009206742.tif 000005
【図４】
2009206742.tif 000006
【図５】
2009206742.tif 000007
【図６】
2009206742.tif 000008
【図７】
2009206742.tif 000009